(57)【特許請求の範囲】
【請求項１】
１画面が第１の画素数の画像データを用いて画面に画像を表示する表示装置と、
前記表示装置の画面に表示された画像を１画面が前記第１の画素数より多い第２の画素数の画像データとして撮像する撮像手段と、
前記撮像手段により得られる撮像画像データを受けて画像を表示するメガネ型ディスプレイ装置と、
を具備する画像情報表示システムにおいて、
１画面が前記第１の画素数の画像データに対し変更規則による変更を加えて秘匿画像データを作成する秘匿化手段と、
前記秘匿画像データを受けて秘匿画像を前記表示装置の画面に表示する表示制御手段と、
前記撮像手段により得られる１画面が前記第２の画素数の撮像画像データを前記表示装置で表示される第１の画素の画面のサイズに圧縮し、圧縮した画像データに対し前記変更規則に対応する復元規則を適用して原画像を復元し、復元画像データを得る復元手段と、
前記復元手段により得られた復元画像データを受けて対応する画像をメガネ型ディスプレイ装置に表示するディスプレイ制御手段と、
を具備し、
前記ディスプレイ制御手段は、前記表示装置で表示される前記第１の画素数の画素により構成される表示装置側長方形の画面と、前記撮像手段により得られる前記第２の画素数の画素により構成される撮像手段側長方形の画面とにおける上記画素により構成される２つの長方形の中心が一致する位置を適切撮像ポジションとし、前記圧縮することで表示装置において表示された画素と撮像手段により撮像された画素のズレを補正し、前記画像を前記メガネ型ディスプレイ装置に表示することを特徴とする画像情報表示システム。
【請求項２】
秘匿化手段は、暗号鍵を用いてデータを暗号化する暗号化手段により構成され、
復元手段は、前記暗号鍵に対応する復号鍵によりデータを復号化する復号化手段により構成されることを特徴とする請求項１に記載の画像情報表示システム。
【請求項３】
秘匿化手段は、画面をマトリックス状の小区分に分けたときの各小区分の位置の画像を、乱数による変換テーブルに基づき他の位置に配置転換する配置転換手段により構成され、
復元手段は、前記変換テーブルの逆変換テーブルに基づき、前記配置転換された位置の画像を元の位置に戻す逆配置転換手段により構成されることを特徴とする請求項１に記載の画像情報表示システム。
【請求項４】
前記暗号鍵と前記復号鍵を所定のときに変更する鍵変更手段を備えることを特徴とする請求項２に記載の画像情報表示システム。
【請求項５】
前記乱数を所定のときに変更し、変換テーブル及び逆変換テーブルに変更を加える乱数変更手段を備えることを特徴とする請求項３に記載の画像情報表示システム。
【請求項６】
１画面分の画像データを、前記秘匿化手段を介さずに前記表示装置へ送るか、前記秘匿化手段を介して前記表示装置へ送るかを切り換える第１の切換手段と、
前記撮像手段により得られる１画面分の撮像画像データを、前記復元手段を介さずに前記メガネ型ディスプレイ装置へ送るか、前記復元手段を介して前記メガネ型ディスプレイ装置へ送るかを切り換える第２の切換手段と、
前記第１の切換手段及び前記第２の切換手段の切り換えを制御する切換制御手段と
を具備することを特徴とする請求項１乃至５のいずれか１項に記載の画像情報表示システム。
【請求項７】
前記表示装置には、色調補正用画面を表示させる色調補正画面表示制御手段が備えられ、
前記撮像手段には、前記色調補正用画面の撮像時に色調補正を行う色調補正手段が備えられていることを特徴とする請求項１乃至６のいずれか１項に記載の画像情報表示システム。
【請求項８】
１画面が第１の画素数の画像データを用いて画面に画像を表示する表示装置と、
前記表示装置の画面に表示された画像を１画面が前記第１の画素数より多い第２の画素数の画像データとして撮像する撮像手段と、
前記撮像手段により得られる撮像画像データを受けて画像を表示するメガネ型ディスプレイ装置とを具備する画像情報表示システムにおける画像情報表示、方法であって、
１画面が前記第１の画素数の画像データに対し変更規則による変更を加えて秘匿画像データを作成する秘匿化ステップと、
前記秘匿画像データを受けて秘匿画像を前記表示装置の画面に表示する表示制御ステップと、
前記撮像手段により得られる１画面が前記第２の画素数の撮像画像データを前記表示装置で表示される第１の画素の画面のサイズに圧縮し、圧縮した画像データに対し前記変更規則に対応する復元規則を適用して原画像を復元し、復元画像データを得る復元ステップと、
前記復元手段により得られた復元画像データを受けて対応する画像をメガネ型ディスプレイ装置に表示するディスプレイ制御ステップと、
を具備し、
前記ディスプレイ制御ステップでは、前記表示装置で表示される前記第１の画素数の画素により構成される表示装置側長方形の画面と、前記撮像手段により得られる前記第２の画素数の画素により構成される撮像手段側長方形の画面とにおける上記画素により構成される２つの長方形の中心が一致する位置を適切撮像ポジションとし、前記圧縮することで表示装置において表示された画素と撮像手段により撮像された画素のズレを補正し、前記画像を前記メガネ型ディスプレイ装置に表示することを特徴とする画像情報表示方法。
【請求項９】
秘匿化ステップでは、暗号鍵を用いてデータを暗号化し、
復元ステップでは、前記暗号鍵に対応する復号鍵によりデータを復号化することを特徴とする請求項８に記載の画像情報表示方法。
【請求項１０】
秘匿化ステップでは、画面をマトリックス状の小区分に分けたときの各小区分の位置の画像を、乱数による変換テーブルに基づき他の位置に配置転換し、
復元ステップでは、前記変換テーブルの逆変換テーブルに基づき、前記配置転換された位置の画像を元の位置に戻す逆配置転換を行うことを特徴とする請求項８に記載の画像情報表示方法。
【請求項１１】
前記暗号鍵と前記復号鍵を所定のときに変更する鍵変更ステップを備えることを特徴とする請求項９に記載の画像情報表示方法。
【請求項１２】
前記乱数を所定のときに変更し、変換テーブル及び逆変換テーブルに変更を加える乱数変更ステップを備えることを特徴とする請求項１０に記載の画像情報表示方法。
【請求項１３】
１画面分の画像データを、前記秘匿化ステップを行わずに前記表示装置へ送るか、前記秘匿化ステップを行って前記表示装置へ送るかを切り換える第１の切換ステップと、
前記撮像手段により得られる１画面分の撮像画像データを、前記復元ステップを行わずに前記メガネ型ディスプレイ装置へ送るか、前記復元ステップを行って前記メガネ型ディスプレイ装置へ送るかを切り換える第２の切換ステップと、
前記第１の切換ステップ及び前記第２の切換ステップの切り換えを制御する切換制御ステップと
を具備することを特徴とする請求項８乃至１２のいずれか１項に記載の画像情報表示方法。
【請求項１４】
前記表示装置では、色調補正用画面を表示させる色調補正画面表示制御ステップが行われ、
前記撮像手段では、前記色調補正用画面の撮像時に色調補正を行う色調補正ステップが行われることを特徴とする請求項８乃至１３のいずれか１項に記載の画像情報表示方法。
【発明の詳細な説明】
【技術分野】
【０００１】
この発明は、情報を秘匿して表示することが可能な画像情報表示システム及び画像情報表示方法に関するものである。
【背景技術】
【０００２】
従来の画像情報表示システムでは、所定の人にのみ見せる情報を表示する場合には、所定の人のみの入場を許可するなど、人に対する制限を行う必要があった。
【０００３】
これに対し、特許文献１には、特定のメガネを装着した者にだけ、秘密画像を見せるようにした装置が開示されている。また、特許文献２には、秘密画像を得るために、画素毎或いは領域毎に表示するか非表示とするかを制御するシステムが示されている。
【０００４】
更に、特許文献３には、光シャッタの透過のタイミングにより第１の分散画像の画像データに応じた画像信号を出力することにより、秘密画像が特定の人に見えるようにしたシステムが開示されている。ここに、第１の分散画像の対応する階調が、複数の第１の分散画像における各々の画素の輝度を加算した場合に第１の画像の輝度値になり、いずれの階調値も前記第１の画像の階調とは異なる階調値が割り当てられている、というものである。
【先行技術文献】
【特許文献】
【０００５】
【特許文献１】特開昭６３−３１２７８８号公報
【特許文献２】特開２００１−２５５８４４号公報
【特許文献３】特許第５０２９６１０号明細書
【発明の概要】
【発明が解決しようとする課題】
【０００６】
上記のように特許文献１、２の画像情報表示システムによれば、上記のように表示装置の画面に表示された画像は、通常の人には見ても意味のある画像とはならず、秘匿という目的を達成できる。しかしながら、これら特許文献１、２の画像情報表示システムでは、構成が簡単であり、容易に秘匿化が破られる虞がある。また、引用文献３に記載のシステムは、処理が複雑であるが、シャッタ期間の調整による秘匿化であるため、秘匿化されていない画像が誰でもが見ることができる画面に写し出されているので、画面の画像に対するシャッタ期間さえ調整できれば秘匿化が破られるという問題があった。
【０００７】
本発明は上記のような画像を秘匿化する画像情報表示システムの現状に鑑みてなされたもので、その目的は、秘匿化されていない画像が誰でもが見ることができる画面に写し出されることなく、従って、確実に情報を秘匿して表示することが可能な画像情報表示システム及び画像情報表示方法を提供することである。
【課題を解決するための手段】
【０００８】
本発明に係る画像情報表示システムは、１画面が第１の画素数の画像データを用いて画面に画像を表示する表示装置と、前記表示装置の画面に表示された画像を１画面が前記第１の画素数より多い第２の画素数の画像データとして撮像する撮像手段と、前記撮像手段により得られる撮像画像データを受けて画像を表示するメガネ型ディスプレイ装置と、を具備する画像情報表示システムにおいて、１画面が前記第１の画素数の画像データに対し変更規則による変更を加えて秘匿画像データを作成する秘匿化手段と、前記秘匿画像データを受けて秘匿画像を前記表示装置の画面に表示する表示制御手段と、前記撮像手段により得られる１画面が前記第２の画素数の撮像画像データを前記表示装置で表示される第１の画素の画面のサイズに圧縮し、圧縮した画像データに対し前記変更規則に対応する復元規則を適用して原画像を復元し、復元画像データを得る復元手段と、前記復元手段により得られた復元画像データを受けて対応する画像をメガネ型ディスプレイ装置に表示するディスプレイ制御手段と、を具備し、前記ディスプレイ制御手段は、前記表示装置で表示される前記第１の画素数の画素により構成される表示装置側長方形の画面と、前記撮像手段により得られる前記第２の画素数の画素により構成される撮像手段側長方形の画面とにおける上記画素により構成される２つの長方形の中心が一致する位置を適切撮像ポジションとし、前記圧縮することで表示装置において表示された画素と撮像手段により撮像された画素のズレを補正し、前記画像を前記メガネ型ディスプレイ装置に表示することを特徴とする。
【０００９】
本発明に係る画像情報表示システムでは、秘匿化手段は、暗号鍵を用いてデータを暗号化する暗号化手段により構成され、復元手段は、前記暗号鍵に対応する復号鍵によりデータを復号化する復号化手段により構成されることを特徴とする。
【００１０】
本発明に係る画像情報表示システムでは、秘匿化手段は、画面をマトリックス状の小区分に分けたときの各小区分の位置の画像を、乱数による変換テーブルに基づき他の位置に配置転換する配置転換手段により構成され、復元手段は、前記変換テーブルの逆変換テーブルに基づき、前記配置転換された位置の画像を元の位置に戻す逆配置転換手段により構成されることを特徴とする。
【００１１】
本発明に係る画像情報表示システムでは、前記暗号鍵と前記復号鍵を所定のときに変更する鍵変更手段を備えることを特徴とする。
【００１２】
本発明に係る画像情報表示システムでは、前記乱数を所定のときに変更し、変換テーブル及び逆変換テーブルに変更を加える乱数変更手段を備えることを特徴とする。
【００１３】
本発明に係る画像情報表示システムでは、１画面分の画像データを、前記秘匿化手段を介さずに前記表示装置へ送るか、前記秘匿化手段を介して前記表示装置へ送るかを切り換える第１の切換手段と、前記撮像手段により得られる１画面分の撮像画像データを、前記復元手段を介さずに前記メガネ型ディスプレイ装置へ送るか、前記復元手段を介して前記メガネ型ディスプレイ装置へ送るかを切り換える第２の切換手段と、前記第１の切換手段及び前記第２の切換手段の切り換えを制御する切換制御手段と
を具備することを特徴とする。
【００１４】
本発明に係る画像情報表示システムでは、前記表示装置には、色調補正用画面を表示させる色調補正画面表示制御手段が備えられ、前記撮像手段には、前記色調補正用画面の撮像時に色調補正を行う色調補正手段が備えられていることを特徴とする。
【００１５】
本発明に係る画像情報表示方法は、１画面が第１の画素数の画像データを用いて画面に画像を表示する表示装置と、前記表示装置の画面に表示された画像を１画面が前記第１の画素数より多い第２の画素数の画像データとして撮像する撮像手段と、前記撮像手段により得られる撮像画像データを受けて画像を表示するメガネ型ディスプレイ装置とを具備する画像情報表示システムにおける画像情報表示方法であって、１画面が前記第１の画素数の画像データに対し変更規則による変更を加えて秘匿画像データを作成する秘匿化ステップと、前記秘匿画像データを受けて秘匿画像を前記表示装置の画面に表示する表示制御ステップと、前記撮像手段により得られる１画面が前記第２の画素数の撮像画像データを前記表示装置で表示される第１の画素の画面のサイズに圧縮し、圧縮した画像データに対し前記変更規則に対応する復元規則を適用して原画像を復元し、復元画像データを得る復元ステップと、前記復元手段により得られた復元画像データを受けて対応する画像をメガネ型ディスプレイ装置に表示するディスプレイ制御ステップと、を具備し、前記ディスプレイ制御ステップでは、前記表示装置で表示される前記第１の画素数の画素により構成される表示装置側長方形の画面と、前記撮像手段により得られる前記第２の画素数の画素により構成される撮像手段側長方形の画面とにおける上記画素により構成される２つの長方形の中心が一致する位置を適切撮像ポジションとし、前記圧縮することで表示装置において表示された画素と撮像手段により撮像された画素のズレを補正し、前記画像を前記メガネ型ディスプレイ装置に表示することを特徴とする。
【００１６】
本発明に係る画像情報表示方法では、秘匿化ステップでは、暗号鍵を用いてデータを暗号化し、復元ステップでは、前記暗号鍵に対応する復号鍵によりデータを復号化することを特徴とする。
【００１７】
本発明に係る画像情報表示方法では、秘匿化ステップでは、画面をマトリックス状の小区分に分けたときの各小区分の位置の画像を、乱数による変換テーブルに基づき他の位置に配置転換し、復元ステップでは、前記変換テーブルの逆変換テーブルに基づき、前記配置転換された位置の画像を元の位置に戻す逆配置転換を行うことを特徴とする。
【００１８】
本発明に係る画像情報表示方法では、前記暗号鍵と前記復号鍵を所定のときに変更する鍵変更ステップを備えることを特徴とする。
【００１９】
本発明に係る画像情報表示方法では、前記乱数を所定のときに変更し、変換テーブル及び逆変換テーブルに変更を加える乱数変更ステップを備えることを特徴とする。
【００２０】
本発明に係る画像情報表示方法では、１画面分の画像データを、前記秘匿化ステップを行わずに前記表示装置へ送るか、前記秘匿化ステップを行って前記表示装置へ送るかを切り換える第１の切換ステップと、前記撮像手段により得られる１画面分の撮像画像データを、前記復元ステップを行わずに前記メガネ型ディスプレイ装置へ送るか、前記復元ステップを行って前記メガネ型ディスプレイ装置へ送るかを切り換える第２の切換ステップと、前記第１の切換ステップ及び前記第２の切換ステップの切り換えを制御する切換制御ステップとを具備することを特徴とする。
【００２１】
本発明に係る画像情報表示方法において、前記表示装置では、色調補正用画面を表示させる色調補正画面表示制御ステップが行われ、前記撮像手段では、前記色調補正用画面の撮像時に色調補正を行う色調補正ステップが行われることを特徴とする。
【発明の効果】
【００２２】
本発明によれば、１画面分の画像データに変更規則による変更を加えて秘匿画像データを作成し、この秘匿画像データを受けて秘匿画像を表示装置の画面に表示し、表示装置の画面に表示された画像を撮像し、撮像により得られる１画面分の撮像画像データを、上記変更規則に対応する復元規則を適用して原画像を復元し、復元画像データを受けて対応する画像をメガネ型ディスプレイ装置に表示するので、秘匿化されていない画像は、メガネ型ディスプレイ装置にのみ表示され、誰でもが視聴し得る表示装置の画面には秘匿化された画像が表示されるので、秘匿化されていない画像が誰でもが見ることができる画面に写し出されることなく、従って、確実に情報を秘匿して表示することが可能である。
【図面の簡単な説明】
【００２３】
【図１】本発明に係る画像情報表示システムにおける実施形態の概略構成を示す斜視図。
【図２】本発明に係る画像情報表示システムにおける実施形態の機能ブロック図。
【図３】本発明に係る画像情報表示システムにおける第１実施形態の要部機能ブロック図。
【図４】本発明に係る画像情報表示システムにおける第１実施形態の表示装置の動作を示すフローチャート。
【図５】本発明に係る画像情報表示システムにおける第１実施形態のカメラ及びメガネ型ディスプレイ装置の動作を示すフローチャート。
【図６】本発明に係る画像情報表示システムにおける第２実施形態の要部機能ブロック図。
【図７】本発明に係る画像情報表示システムにおける第２実施形態の配置転換と逆配置転換の動作を示す図。
【図８】本発明に係る画像情報表示システムにおける第２実施形態の表示装置の動作を示すフローチャート。
【図９】本発明に係る画像情報表示システムにおける第１実施形態のカメラ及びメガネ型ディスプレイ装置の動作を示すフローチャート。
【発明を実施するための形態】
【００２４】
以下添付図面を参照して、本発明に係る画像情報表示システム及び画像情報表示方法の実施形態を説明する。各図において同一の構成要素には、同一の符号を付して重複する説明を省略する。図１に、本発明に係る画像情報表示システムの実施形態の概略構成を示す。画像情報表示システムは、画像データを用いて画面１１０に画像を表示する表示装置１００と、表示装置１００の画面１１０に表示された画像を撮像する撮像手段としてのカメラ２００と、撮像手段であるカメラ２００により得られる撮像画像データを受けて画像を表示するメガネ型ディスプレイ装置３００を備える。
【００２５】
カメラ２００は、メガネ型ディスプレイ装置３００のフレーム３１０の一部に取り付けられていても良い。また、メガネ型ディスプレイ装置３００は、メガネ型ディスプレイ装置を装着した人から見て、例えば図１に示すように、前方に画像３６０が写し出される。メガネ型ディスプレイ装置３００を装着した人が画像３６０を見ると、画像３６０の周縁より外側の部分は、実際に存在するものを見ることができように構成されても良い。例えば、メガネ型ディスプレイ装置を装着した人が適宜な位置において表示装置１００の画面１１０を見るとき、画面１１０の外枠と画像３６０の周縁とが重なり、表示装置１００の画面１１０に画像３６０が写し出されているように見えるように構成されていても良い。この位置を、本実施形態では、適切撮像ポジションと称し、この位置関係で表示装置１００とメガネ型ディスプレイ装置３００とが用いられるものとする。或いは、表示装置１００で表示される画素数を例えば１９２０×１０８０とし、カメラ２００により得られる画素数を例えば２５６０×１４４０とし、画素により構成される２つの長方形の中心が一致する位置を適切撮像ポジションとしても良い。この場合、カメラ２００により得られる画素数２５６０×１４４０を画素数１９２０×１０８０圧縮し、得られた画像が復元に用いられる。このような手法は、カメラ２００により予め大きめに撮像して表示装置１００のサイズに圧縮することで、表示装置１００において表示された画素とカメラ２００により撮像した画素のズレを補正する。
【００２６】
図２に、図１の実施形態に係る画像情報表示システムの機能ブロック図を示す。表示装置１００は、例えばパーソナルコンピュータなどであり、中央制御部１５０に表示コントローラ１６１を介してＬＣＤなどの情報表示部１６２が接続された構成を有する。また、中央制御部１５０には、通信コントローラ１６３を介して通信部１６４が接続されている。
【００２７】
他方、メガネ型ディスプレイ装置３００にはＣＰＵ３５０が備えられており、入出力インタフェース３３０を介してカメラ２００に接続されている。ＣＰＵ３５０には、通信コントローラ３６１を介して通信部３６２が接続されている。この通信部３６２と通信部１６４とにより、メガネ型ディスプレイ装置３００と表示装置１００とは情報等を送受することができる。また、ＣＰＵ３５０には、表示コントローラ３６３を介して例えばシースルーのディスプレイ３６４が接続された構成を有する。
【００２８】
上記表示装置１００の中央制御部１５０には、秘匿化手段１５１と表示制御手段１５２とが備えられている。秘匿化手段１５１は、１画面分の画像データに変更規則による変更を加えて秘匿画像データを作成する。画像データは外部から或いは自らが記憶しているものとする。表示制御手段１５２は、上記秘匿画像データを受けて秘匿画像を、画面１１０を有する情報表示部１６２に表示コントローラ１６１により表示させる。
【００２９】
メガネ型ディスプレイ装置３００のＣＰＵ３５０には、復元手段３５１、ディスプレイ制御手段３５２が備えられている。復元手段３５１は、撮像手段であるカメラ２００により得られる１画面分の撮像画像データを、上記変更規則に対応する復元規則を適用して原画像を復元し、復元画像データを得るものである。ディスプレイ制御手段３５２は、上記復元手段３５１により得られた復元画像データを受けて対応する画像をメガネ型ディスプレイ装置３００のディスプレイ３６４の画面に表示コントローラ３６３によって表示させる。
【００３０】
上記表示装置１００の中央制御部１５０には、第１の切換手段１５３、切換制御手段１５４が備えられていても良い。第１の切換手段１５３は、１画面分の画像データを、上記秘匿化手段１５１を介さずに上記表示装置１００の情報表示部１６２へ送るか、上記秘匿化手段１５１を介して上記表示装置の情報表示部１６２へ送るかを切り換えるものである。
【００３１】
メガネ型ディスプレイ装置３００のＣＰＵ３５０には、第２の切換手段３５３が備えられていても良い。第２の切換手段３５３は、撮像手段であるカメラ２００により得られる１画面分の撮像画像データを、上記復元手段３５１を介さずに上記メガネ型ディスプレイ装置３００のディスプレイ３６４へ送るか、上記復元手段３５１を介して前記メガネ型ディスプレイ装置３００のディスプレイ３６４へ送るかを切り換えるものである。
【００３２】
上記表示装置１００の切換制御手段１５４は、上記第１の切換手段１５３及び前記第２の切換手段３５３の切り換えを制御する。表示装置１００の図示しない例えば、入力装置や画像データに付加された情報により、画像の秘匿化をする制御情報が与えられると、秘匿化手段１５１と復元手段３５１を用いるように切り換えを行い、入力装置や画像データに付加された情報により、画像の秘匿化を行わないことを示す制御情報が与えられると、秘匿化手段１５１と復元手段３５１を用いないように切り換えを行う。復元手段３５１への指示は、例えば、通信部１６４から通信部３６２を介して送信する。
【００３３】
表示装置１００には、色調補正用画面を表示させる色調補正画面表示制御手段１５５が備えられていても良い。撮像手段であるカメラ２００には、画像を表示して画像信号を得るＣＣＤやレンズ系などの撮像素子部２１０と撮像素子部２１０を制御し或いは得られた映像信号に必要な補正を行い画像データを得る撮像制御部２２０とが備えられている。撮像制御部２２０には、上記色調補正用画面の撮像時に色調補正を行う色調補正手段２２１が備えられていても良い。
【００３４】
画像データがカラーのためＲＧＢデータにより構成されている場合には、画面１１０のカラー画像をカメラ２００により撮像した際に色ずれが生じるため、色調補正画面表示制御手段１５５と色調補正手段２２１が備えられている。色調補正を表示装置１００が指示されると、色調補正画面表示制御手段１５５が情報表示部１６２に、黒色と、赤色＝Ｒ（２５５，０，０）、緑色＝Ｇ（０，２５５，０）、青色＝Ｂ（０，０，２５５）を順次表示する。このときの表示画面を色調補正画面という。
【００３５】
カメラ２００では、上記表示が行われているときに撮像を行ってそれぞれの色のときに得られた画像信号を各色調の画像データを対応させて、変換テーブルの調整を行う（色調補正手段２２１）。このような処理は、システムを稼働させた初期時に行うことができる。
【００３６】
図３には、第１の実施形態の場合に、秘匿化手段１５１によって実現される構成と、復元手段３５１によって実現される構成が示されている。秘匿化手段１５１は、暗号鍵を用いてデータを暗号化する暗号化手段１５１Ａにより構成され、復元手段３５１は、上記暗号鍵に対応する復号鍵によりデータを復号化する復号化手段３５１Ａにより構成される。
【００３７】
秘匿化手段１５１の暗号化手段１５１Ａには、上記暗号鍵と上記復号鍵を所定のときに変更する鍵変更手段１５１Ｂが備えられても良い。鍵変更手段１５１Ｂは、所定時間毎に、或いは例えば、プログラムやコンテンツが変更される毎に上記暗号鍵と上記復号鍵を変更する。なお、鍵は、共通鍵暗号方式による共通鍵でも良く、また、公開鍵暗号方式による秘密鍵と公開鍵でも良い。また、変更規則と復元規則である暗号方式は、例えば、特開２００８−１９７６８５号公報に記載のものを用いることができるが、特にこの方式に限定されず、各種の暗号方式を用いることができる。鍵変更手段１５１Ｂは、通信によりメガネ型ディスプレイ装置３００へ復号鍵を送ってセットすることができる。
【００３８】
第１の実施形態では、秘匿化手段１５１と復元手段３５１の構成以外は、図２により示した構成である。この第１の実施形態による表示装置１００側の動作を図４のフローチャートに示し、カメラ２００及びメガネ型ディスプレイ装置３００の動作を図５のフローチャートに示し、これらの動作説明を行う。表示装置１００側では、暗号鍵のセットを行い（Ｓ１１）、メガネ型ディスプレイ装置３００では、復号鍵のセットを行う（Ｓ２１）。
【００３９】
次に、表示装置１００側では、色調補正画面表示制御手段１５５による色調補正画面表示が既に述べた通りに行われ（Ｓ１２）、カメラ２００で表示装置１００の画面を撮像し、得られた画像データを用いて色調補正手段２２１による色調補正が実行される（Ｓ２２）。次に、カメラ２００で適切撮像ポジションの確保を行い（Ｓ２３）、撮像を行う（Ｓ２４）。この適切撮像ポジションとなっているため、表示装置１００の画面１１０に表示された画像を撮像して得た画像データを復号化することにより原画像の画像データと同じ画像データを得て、適切な表示を行うことができる。
【００４０】
表示装置１００側では、所要の画像データを暗号化して（Ｓ１３）、暗号化した画像データによる画像表示を行い（Ｓ１４）、画像表示の終了を検出しながら（Ｓ１５）、ステップＳ１３、Ｓ１４を続ける。
【００４１】
一方、メガネ型ディスプレイ装置３００では、撮像により得られる画像データを復号し（Ｓ２５）、復号した画像データにより表示を行う（Ｓ２６）。ステップ２６に続いて例えば通信により画像表示の終了が指示されたかを検出し（Ｓ２７）、終了指示を検出した場合にエンドとなる。
【００４２】
図６には、第２の実施形態の場合に、秘匿化手段１５１によって実現される構成と、復元手段３５１によって実現される構成が示されている。秘匿化手段１５１は、秘匿化手段は、画面をマトリックス状の小区分に分けたときの各小区分の位置の画像を、乱数による変換テーブルに基づき他の位置に配置転換する配置転換手段１５１Ｆにより構成され、復元手段３５１は、上記変換テーブルの逆変換テーブルに基づき、上記配置転換された位置の画像を元の位置に戻す逆配置転換手段３５１Ｆにより構成される。
【００４３】
配置転換手段１５１Ｆには、上記乱数を所定のときに変更し、変換テーブル及び逆変換テーブルに変更を加える乱数変更手段１５１Ｇが備えられても良い。乱数変更手段１５１Ｇは、所定時間毎に、或いは例えば、プログラムやコンテンツが変更される毎に上記乱数を変更し、変換テーブル及び逆変換テーブルに変更を加える。
【００４４】
図７に、画面をマトリックス状の４×４の小区分に分割し、ある乱数により作成した変換テーブルＴＢ１及び逆変換テーブルＴＢ２を用いて配置転換及び逆配置転換した例を示す。勿論、４×４の小区分では区分が大きすぎるので、例えば１００×１００以上の区分に分割することが望ましい。変換テーブルＴＢ１及び逆変換テーブルＴＢ２のマトリックス内の数値は、変換前テーブルの数字の位置における小区分画像を当該位置に移動することを示す。例えば、変換テーブルＴＢ１において、第１行目第３列目の「６」は、当該第１行目第３列目の位置へ、変換前テーブルの数字「６」の位置における原画像の小区分画像(ｆという画像)を移動させることを示し、変換テーブルＴＢ１の第３行目第２列目の「１４」は、当該第３行目第２列目の位置へ、変換前テーブルの数字「１４」の位置における原画像の小区分画像(ｎという画像)を移動させることを示している。
【００４５】
また、逆変換テーブルＴＢ２において、第１行目第３列目の「１３」は、当該第１行目第３列目の位置へ、変換前テーブルの数字「１３」の位置における配置転換後画像の小区分画像(ｃという画像)を移動させることを示し、逆変換テーブルＴＢ２の第３行目第２列目の「７」は、当該第３行目第２列目の位置へ、変換前テーブルの数字「７」の位置における配置転換後画像の小区分画像(ｊという画像)を移動させることを示している。
【００４６】
第２の実施形態では、秘匿化手段１５１と復元手段３５１の構成以外は、図２により示した構成である。この第１の実施形態による表示装置１００側の動作を図８のフローチャートに示し、カメラ２００及びメガネ型ディスプレイ装置３００の動作を図９のフローチャートに示し、これらの動作説明を行う。
【００４７】
表示装置１００側では、乱数のセットを行い、変換テーブルを作成し（Ｓ３１）、メガネ型ディスプレイ装置３００では、乱数のセットを行い、逆変換テーブルの作成を行う（Ｓ４１）。次に、表示装置１００側では、色調補正画面表示制御手段１５５による色調補正画面表示が行われ（Ｓ３２）、カメラ２００で色調補正手段２２１による色調補正が実行される（Ｓ４２）。次に、カメラ２００で適切撮像ポジションの確保を行い（Ｓ４３）、撮像を行う（Ｓ４４）。この適切撮像ポジションとなっているため、表示装置１００の画面１１０に表示された画像を撮像して得た画像データの小区分について、逆変換テーブルを用いて逆配置転換することにより原画像の画像データと同じ画像データを得て、適切な表示を行うことができる。
【００４８】
表示装置１００側では、所要の画像の区分を変換テーブルのデータに基づき配置転換して（Ｓ３３）、配置転換した結果の画像データによる画像表示を行い（Ｓ３４）、画像表示の終了を検出しながら（Ｓ３５）、ステップＳ３３、Ｓ３４を続ける。
【００４９】
一方、メガネ型ディスプレイ装置３００では、撮像により得られる画像の区分を逆変換テーブルのデータに基づき逆配置転換し（Ｓ４４）、逆配置転換して得られた画像の画像データにより表示を行う（Ｓ４５）。ステップ４５に続いて例えば通信により画像表示の終了が指示されたかを検出し（Ｓ４６）、終了指示を検出した場合にエンドとなる。
【符号の説明】
【００５０】
１００  表示装置                          １１０  画面
１５０  中央制御部                        １５１  秘匿化手段
１５１Ａ  暗号化手段                      １５１Ｂ  鍵変更手段
１５１Ｆ  配置転換手段                    １５１Ｇ  乱数変更手段
１５２  表示制御手段                      １５３  第１の切換手段
１５４  切換制御手段                      １５５  色調補正画面表示制御手段
１６１  表示コントローラ                  １６２  情報表示部
１６３  通信コントローラ                  １６４  通信部
２００  カメラ                            ２１０  撮像素子部
２２０  撮像制御部                        ２２１  色調補正手段
３００  メガネ型ディスプレイ装置          ３１０  フレーム
３３０  入出力インタフェース              ３５０  ＣＰＵ
３５１  復元手段                          ３５１Ａ  復号化手段
３５１Ｆ  逆配置転換手段                  ３５２  ディスプレイ制御手段
３５３  第２の切換手段                    ３６１  通信コントローラ
３６２  通信部                            ３６３  表示コントローラ
【図１】
0006587250.tif 000002
【図２】
0006587250.tif 000003
【図３】
0006587250.tif 000004
【図４】
0006587250.tif 000005
【図５】
0006587250.tif 000006
【図６】
0006587250.tif 000007
【図７】
0006587250.tif 000008
【図８】
0006587250.tif 000009
【図９】
0006587250.tif 000010